(57)【特許請求の範囲】
【請求項１】
底皿部材と、前記底皿部材に着脱可能の１又は２以上の水浄化フィルター装着用部材とを含む水浄化フィルター装置枠であり、
前記底皿部材は、上端部に開口を有するとともに該開口周縁部に前記水浄化フィルター装着用部材の下端部を着脱できる水浄化フィルター装着用部材接続部を有し、内部空間に前記開口へ立ち上がる空気噴射ノズルが立設されており、さらに該ノズルに連通する空気供給手段接続部を備えており、
前記水浄化フィルター装着用部材は、筒体と該筒体の下端部に設けられたフランジ部とを備えており、該フランジ部より上側で該筒体に通水性の水浄化フィルターをその側周面が外部に露出するように外嵌装着可能であり、前記フランジ部は水が通過できる水流入開口部を備えているとともに周縁部に前記底皿部材の水浄化フィルター装着用部材接続部を着脱できる底皿部材接続部を有しており、前記筒体は下端部が前記底皿部材の空気噴射ノズルに該ノズル周囲に間隙をおいて外嵌できるように形成されているとともに、上端部が他の同じ水浄化フィルター装着用部材の筒体下端部に接続して該両筒体内部を連通させることができるように形成されており、
前記水浄化フィルター装着用部材が一つのときは該水浄化フィルター装着用部材の筒体の下端部を前記底皿部材の空気噴射ノズルにその周囲に間隙をおいて外嵌させるとともに該水浄化フィルター装着用部材の底皿部材接続部と前記底皿部材の水浄化フィルター装着用部材接続部とを互いに接続させることで組み立てることができ、前記水浄化フィルター装着用部材が複数あるときは、下から上へそれらを積み重ね、且つ、上下に隣り合う水浄化フィルター装着用部材において、上側の水浄化フィルター装着用部材の筒体下端部のフランジ部と下側の水浄化フィルター装着用部材の筒体下端部のフランジ部との間に、下側の水浄化フィルター装着用部材の筒体に外嵌装着される通水性の水浄化フィルターの側周面が外部に露出するように空間をあけて、下側の水浄化フィルター装着用部材の筒体の上端部に上側の水浄化フィルター装着用部材の筒体の下端部を接続して該複数の水浄化フィルター装着用部材を順次直列接続するとともに一番下の水浄化フィルター装着用部材の筒体の下端部を前記底皿部材の空気噴射ノズルにその周囲に間隙をおいて外嵌させるとともに該一番下の水浄化フィルター装着用部材の底皿部材接続部と前記底皿部材の水浄化フィルター装着用部材接続部とを互いに接続させることで組み立てることができることを特徴とする水浄化フィルター装置枠。
【請求項２】
底皿部材と、前記底皿部材に着脱可能の１又は２以上の水浄化フィルター装着用部材とを含み、前記底皿部材が、上端部に開口を有するとともに該開口周縁部に前記水浄化フィルター装着用部材の下端部を着脱できる水浄化フィルター装着用部材接続部を有し、内部空間に前記開口へ立ち上がる空気噴射ノズルが立設されている水浄化フィルター装置枠のための該水浄化フィルター装着用部材であり、
筒体と該筒体の下端部に設けられたフランジ部とを備えており、該フランジ部より上側で該筒体に通水性の水浄化フィルターをその側周面が外部に露出するように外嵌装着可能であり、前記フランジ部は水が通過できる水流入開口部を備えているとともに周縁部に前記底皿部材の水浄化フィルター装着用部材接続部を着脱できる底皿部材接続部を有しており、前記筒体は下端部が前記底皿部材の空気噴射ノズルに該ノズル周囲に間隙をおいて外嵌できるように形成されているとともに、上端部が他の同じ水浄化フィルター装着用部材の筒体下端部に接続して該両筒体内部を連通させることができるように、且つ、前記フランジ部と該他の同じ水浄化フィルター装着用部材の筒体下端部のフランジ部との間に、前記筒体に外嵌装着される通水性の水浄化フィルターの側周面が外部に露出するように空間をあけて接続して該両筒体内部を連通させることができるように形成されていることを特徴とする水浄化フィルター装着用部材。
【請求項３】
底皿部材と、前記底皿部材に着脱可能の１又は２以上の水浄化フィルター装着用部材と、前記水浄化フィルター装着用部材に装着される通水性の水浄化フィルターとを含む水浄化フィルター装置であり、
前記底皿部材は、上端部に開口を有するとともに該開口周縁部に前記水浄化フィルター装着用部材の下端部を着脱できる水浄化フィルター装着用部材接続部を有し、内部空間に前記開口へ立ち上がる空気噴射ノズルが立設されており、さらに該ノズルに連通する空気供給手段接続部を備えており、
前記水浄化フィルター装着用部材は、筒体と該筒体の下端部に設けられたフランジ部とを備えており、該フランジ部より上側で該筒体に通水性の水浄化フィルターをその側周面が外部に露出するように外嵌装着可能であり、前記フランジ部は水が通過できる水流入開口部を備えているとともに周縁部に前記底皿部材の水浄化フィルター装着用部材接続部を着脱できる底皿部材接続部を有しており、前記筒体は下端部が前記底皿部材の空気噴射ノズルに該ノズル周囲に間隙をおいて外嵌できるように形成されているとともに、上端部が他の同じ水浄化フィルター装着用部材の筒体下端部に接続して該両筒体内部を連通させることができるように、且つ、前記フランジ部と該他の同じ水浄化フィルター装着用部材の筒体下端部のフランジ部との間に、前記筒体に外嵌装着される通水性の水浄化フィルターの側周面が外部に露出するように空間をあけて接続して該両筒体内部を連通させることができるように形成されており、
前記水浄化フィルターは、前記水浄化フィルター装着用部材の筒体に外嵌できる中央孔を備えており、
前記水浄化フィルター装着用部材が一つのときは該水浄化フィルター装着用部材の筒体に前記水浄化フィルターを嵌合装着して該筒体の下端部を前記底皿部材の空気噴射ノズルにその周囲に間隙をおいて外嵌させるとともに該水浄化フィルター装着用部材の底皿部材接続部と前記底皿部材の水浄化フィルター装着用部材接続部とを互いに接続させることで組み立てることができ、前記水浄化フィルター装着用部材が複数あるときは、少なくとも、最上段の水浄化フィルター装着用部材より下段の各水浄化フィルター装着用部材の筒体に前記水浄化フィルターを嵌合装着して、下から上へ該複数の水浄化フィルター装着用部材を積み重ね、且つ、上下に隣り合う水浄化フィルター装着用部材において、上側の水浄化フィルター装着用部材の筒体下端部のフランジ部と下側の水浄化フィルター装着用部材の筒体下端部のフランジ部との間で、下側の水浄化フィルター装着用部材の筒体に外嵌装着された通水性の水浄化フィルターの側周面を外部に露出させて、下側の水浄化フィルター装着用部材の筒体の上端部に上側の水浄化フィルター装着用部材の筒体の下端部を接続して該複数の水浄化フィルター装着用部材を順次直列接続するとともに、一番下段の水浄化フィルター装着用部材の筒体の下端部を前記底皿部材の空気噴射ノズルにその周囲に間隙をおいて外嵌させるとともに該一番下段の水浄化フィルター装着用部材の底皿部材接続部と前記底皿部材の水浄化フィルター装着用部材接続部とを互いに接続させることで組み立てることができることを特徴とする水浄化フィルター装置。
【発明の詳細な説明】
【０００１】
【発明の属する技術分野】
本発明は水浄化フィルター装置を提供するための水浄化フィルター装置枠、該水浄化フィルター装置枠を用いて得られる水浄化フィルター装置及びかかる水浄化フィルター装置枠或いは水浄化フィルター装置を構成するための水浄化フィルター装着用部材に関する。
【０００２】
【従来の技術】
水浄化フィルター装置は各種分野で採用されている。身近な例を挙げると、動植物観賞用水槽において水槽水を浄化するのに水浄化フィルター装置が使用されている。
かかる水槽水の浄化装置としては、水浄化フィルター部材を装填したボックスを水槽上部に設置し、これに水槽内の水をポンプで汲み上げて供給し、フィルター部材を通過して浄化された水を水槽内へ落下復帰させるものが広く採用されている。
【０００３】
また、最近では、水浄化フィルター部材を装填した筒体を水槽上部に設置し、該筒体の一端部にポンプで汲み上げた水槽水を供給して筒体内に流通させ、筒体の他端部から浄化された水を水槽内へ落下させるものも提供されている。
また、これらの浄化装置では、浄化さた水が水槽内へ落下するとき、空気をまき込むので、水槽内水中へ気泡を供給するいわゆるエアレーション効果も少しは期待できる。
【０００４】
【発明が解決しようとする課題】
しかしながら、ボックスタイプの浄化装置は嵩高いものであり、筒体タイプの浄化装置はボックスタイプの浄化装置に比べると簡素化されているが、それでも十分小型化されているとは言えない。しかもこれらは水槽上部に設置されるものであるから、水槽上部構造の一層の簡素化が求められる場合には、それに応え難いし、より簡素な浄化装置で足りる場合にもそれに応えられない。
【０００５】
また、既述のとおり、ボックスタイプ、筒体タイプのいずれの浄化装置も浄化された水の落下に伴うエアレーション効果を期待できるものの、その程度は満足できるものではないから、十分なエアレーションが要求されるときには、別途、エアレーション装置が設置される。
動植物観賞用水槽のための水浄化装置の上記以外のものも、また、他の分野における水浄化装置も、概ね、嵩高い、複雑である、高価である等の問題がある。
【０００６】
そこで本発明は、動植物観賞用水槽の水の浄化その他の水の浄化に採用できる水浄化フィルター装置であって、水中に配置して使用でき、構造が簡素で小型に安価に製作でき、しかも、水浄化だけでなく水中へのエアレーションも同時に効果的に行える水浄化フィルター装置を提供するための、水浄化フィルター装置枠を提供することを課題とする。
【０００７】
また本発明は、かかる水浄化フィルター装置枠を提供するための、水浄化フィルター装着用部材を提供することを課題とする。
そして本発明は、究極的には、動植物観賞用水槽の水の浄化その他の水の浄化に採用できる水浄化フィルター装置であって、水中に配置して使用でき、構造が簡素で小型に安価に製作でき、しかも、水浄化だけでなく水中へのエアレーションも同時に効果的に行える水浄化フィルター装置を提供することを課題とする。
【０００８】
【課題を解決するための手段】
本発明は前記課題を解決するため、次の水浄化フィルター装置枠、水浄化フィルター装着用部材及び水浄化フィルター装置を提供する。
（１）水浄化フィルター装置枠
底皿部材と、前記底皿部材に着脱可能の１又は２以上の水浄化フィルター装着用部材とを含む水浄化フィルター装置枠であり、
前記底皿部材は、上端部に開口を有するとともに該開口周縁部に前記水浄化フィルター装着用部材の下端部を着脱できる水浄化フィルター装着用部材接続部を有し、内部空間に前記開口へ立ち上がる空気噴射ノズルが立設されており、さらに該ノズルに連通する空気供給手段接続部を備えており、
前記水浄化フィルター装着用部材は、筒体と該筒体の下端部に設けられたフランジ部とを備えており、該フランジ部より上側で該筒体に通水性の水浄化フィルターをその側周面が外部に露出するように外嵌装着可能であり、前記フランジ部は水が通過できる水流入開口部を備えているとともに周縁部に前記底皿部材の水浄化フィルター装着用部材接続部を着脱できる底皿部材接続部を有しており、前記筒体は下端部が前記底皿部材の空気噴射ノズルに該ノズル周囲に間隙をおいて外嵌できるように形成されているとともに、上端部が他の同じ水浄化フィルター装着用部材の筒体下端部に接続して該両筒体内部を連通させることができるように形成されており、
前記水浄化フィルター装着用部材が一つのときは該水浄化フィルター装着用部材の筒体の下端部を前記底皿部材の空気噴射ノズルにその周囲に間隙をおいて外嵌させるとともに該水浄化フィルター装着用部材の底皿部材接続部と前記底皿部材の水浄化フィルター装着用部材接続部とを互いに接続させることで組み立てることができ、前記水浄化フィルター装着用部材が複数あるときは、下から上へそれらを積み重ね、且つ、上下に隣り合う水浄化フィルター装着用部材において、上側の水浄化フィルター装着用部材の筒体下端部のフランジ部と下側の水浄化フィルター装着用部材の筒体下端部のフランジ部との間に、下側の水浄化フィルター装着用部材の筒体に外嵌装着される通水性の水浄化フィルターの側周面が外部に露出するように空間をあけて、下側の水浄化フィルター装着用部材の筒体の上端部に上側の水浄化フィルター装着用部材の筒体の下端部を接続して該複数の水浄化フィルター装着用部材を順次直列接続するとともに一番下の水浄化フィルター装着用部材の筒体の下端部を前記底皿部材の空気噴射ノズルにその周囲に間隙をおいて外嵌させるとともに該一番下の水浄化フィルター装着用部材の底皿部材接続部と前記底皿部材の水浄化フィルター装着用部材接続部とを互いに接続させることで組み立てることができることを特徴とする水浄化フィルター装置枠。
（２）水浄化フィルター装着用部材
底皿部材と、前記底皿部材に着脱可能の１又は２以上の水浄化フィルター装着用部材とを含み、前記底皿部材が、上端部に開口を有するとともに該開口周縁部に前記水浄化フィルター装着用部材の下端部を着脱できる水浄化フィルター装着用部材接続部を有し、内部空間に前記開口へ立ち上がる空気噴射ノズルが立設されている水浄化フィルター装置枠のための該水浄化フィルター装着用部材であり、
筒体と該筒体の下端部に設けられたフランジ部とを備えており、該フランジ部より上側で該筒体に通水性の水浄化フィルターをその側周面が外部に露出するように外嵌装着可能であり、前記フランジ部は水が通過できる水流入開口部を備えているとともに周縁部に前記底皿部材の水浄化フィルター装着用部材接続部を着脱できる底皿部材接続部を有しており、前記筒体は下端部が前記底皿部材の空気噴射ノズルに該ノズル周囲に間隙をおいて外嵌できるように形成されているとともに、上端部が他の同じ水浄化フィルター装着用部材の筒体下端部に接続して該両筒体内部を連通させることができるように、且つ、前記フランジ部と該他の同じ水浄化フィルター装着用部材の筒体下端部のフランジ部との間に、前記筒体に外嵌装着される通水性の水浄化フィルターの側周面が外部に露出するように空間をあけて接続して該両筒体内部を連通させることができるように形成されていることを特徴とする水浄化フィルター装着用部材。
（３）水浄化フィルター装置
底皿部材と、前記底皿部材に着脱可能の１又は２以上の水浄化フィルター装着用部材と、前記水浄化フィルター装着用部材に装着される通水性の水浄化フィルターとを含む水浄化フィルター装置であり、
前記底皿部材は、上端部に開口を有するとともに該開口周縁部に前記水浄化フィルター装着用部材の下端部を着脱できる水浄化フィルター装着用部材接続部を有し、内部空間に前記開口へ立ち上がる空気噴射ノズルが立設されており、さらに該ノズルに連通する空気供給手段接続部を備えており、
前記水浄化フィルター装着用部材は、筒体と該筒体の下端部に設けられたフランジ部とを備えており、該フランジ部より上側で該筒体に通水性の水浄化フィルターをその側周面が外部に露出するように外嵌装着可能であり、前記フランジ部は水が通過できる水流入開口部を備えているとともに周縁部に前記底皿部材の水浄化フィルター装着用部材接続部を着脱できる底皿部材接続部を有しており、前記筒体は下端部が前記底皿部材の空気噴射ノズルに該ノズル周囲に間隙をおいて外嵌できるように形成されているとともに、上端部が他の同じ水浄化フィルター装着用部材の筒体下端部に接続して該両筒体内部を連通させることができるように、且つ、前記フランジ部と該他の同じ水浄化フィルター装着用部材の筒体下端部のフランジ部との間に、前記筒体に外嵌装着される通水性の水浄化フィルターの側周面が外部に露出するように空間をあけて接続して該両筒体内部を連通させることができるように形成されており、
前記水浄化フィルターは、前記水浄化フィルター装着用部材の筒体に外嵌できる中央孔を備えており、
前記水浄化フィルター装着用部材が一つのときは該水浄化フィルター装着用部材の筒体に前記水浄化フィルターを嵌合装着して該筒体の下端部を前記底皿部材の空気噴射ノズルにその周囲に間隙をおいて外嵌させるとともに該水浄化フィルター装着用部材の底皿部材接続部と前記底皿部材の水浄化フィルター装着用部材接続部とを互いに接続させることで組み立てることができ、前記水浄化フィルター装着用部材が複数あるときは、少なくとも、最上段の水浄化フィルター装着用部材より下段の各水浄化フィルター装着用部材の筒体に前記水浄化フィルターを嵌合装着して、下から上へ該複数の水浄化フィルター装着用部材を積み重ね、且つ、上下に隣り合う水浄化フィルター装着用部材において、上側の水浄化フィルター装着用部材の筒体下端部のフランジ部と下側の水浄化フィルター装着用部材の筒体下端部のフランジ部との間で、下側の水浄化フィルター装着用部材の筒体に外嵌装着された通水性の水浄化フィルターの側周面を外部に露出させて、下側の水浄化フィルター装着用部材の筒体の上端部に上側の水浄化フィルター装着用部材の筒体の下端部を接続して該複数の水浄化フィルター装着用部材を順次直列接続するとともに、一番下段の水浄化フィルター装着用部材の筒体の下端部を前記底皿部材の空気噴射ノズルにその周囲に間隙をおいて外嵌させるとともに該一番下段の水浄化フィルター装着用部材の底皿部材接続部と前記底皿部材の水浄化フィルター装着用部材接続部とを互いに接続させることで組み立てることができることを特徴とする水浄化フィルター装置。
【０００９】
本発明に係る水浄化フィルター装置は、本発明に係る水浄化フィルター装着用部材を用いて構成される本発明に係る水浄化フィルター装置枠及びこれに装着する水浄化フィルターを用いて組み立てられる。すなわち、
前記水浄化フィルター装着用部材が一つのときは該水浄化フィルター装着用部材の筒体に前記水浄化フィルターを嵌合装着して該筒体の下端部を前記底皿部材の空気噴射ノズルにその周囲に間隙をおいて外嵌させるとともに該水浄化フィルター装着用部材の底皿部材接続部と前記底皿部材の水浄化フィルター装着用部材接続部とを互いに接続させることで、また、前記水浄化フィルター装着用部材が複数あるときは、少なくとも、最上段のフィルター装着用部材より下段の各水浄化フィルター装着用部材の筒体に前記水浄化フィルターを嵌合装着して、下から上へ該複数の水浄化フィルター装着用部材を積み重ね、且つ、上下に隣り合う水浄化フィルター装着用部材のうち下側の水浄化フィルター装着用部材の筒体の上端部に上側の水浄化フィルター装着用部材の筒体の下端部を接続して該複数の水浄化フィルター装着用部材を順次直列接続するとともに、一番下段の水浄化フィルター装着用部材の筒体の下端部を前記底皿部材の空気噴射ノズルにその周囲に間隙をおいて外嵌させるとともに該一番下段の水浄化フィルター装着用部材の底皿部材接続部と前記底皿部材の水浄化フィルター装着用部材接続部とを互いに接続させることで組み立てる。
【００１０】
本発明に係る水浄化フィルター装置は、空気供給手段（例えば空気供給ポンプに接続された空気供給パイプ）を底皿部材の空気供給手段接続部に接続して浄化しようとする水中へ沈め、空気供給手段接続部に空気を供給して使用する。
この空気が空気噴射ノズルを通り水浄化フィルター装着用部材の筒体内を通り装置外へ放出される。このとき底皿部材の空気噴射ノズルとこれに外嵌している水浄化フィルター装着用部材の筒体との間隙から筒体内へ水を吸い込む力が発生し、これにより浄化すべき水が水浄化フィルターを通過して流れ込み、筒体内を空気とともに移動し、装置外へ放出される。かくして水浄化とエアレーションが同時に効率的に行われる。
【００１１】
そして本発明に係る水浄化フィルター装置はこのように水浄化とエアレーションを同時に効率的に行うことができる割りには、構造が簡単で小型に製作できる。
また、底皿部材、水浄化フィルター装着用部材、水浄化フィルターは、例えば合成樹脂成形等により簡単、安価に製作できる。従って水浄化フィルター装置枠、ひいては水浄化フィルター装置も安価に製作できる。
【００１２】
また、本発明に係る水浄化フィルター装置は、水浄化フィルター装着用部材及び水浄化フィルターの個数を増減させて使用することができ、それにより浄化すべき水の量や汚れに容易に対応できる利点もある。
本発明に係る水浄化フィルター装置枠、水浄化フィルター装着用部材及び水浄化フィルター装置の全体及び各部の形状は任意であるが、使用にあたって水浄化フィルターの各部にできるだけ均一に水を流通させるうえで、例えば、前記底皿部材は円形皿状で、前記空気噴射ノズルは該部材の上端部の円形開口の中心部へ立ち上がっており、前記水浄化フィルター装着用部材のフランジ部は円形状を呈し、筒体は円筒体で該フランジ部の中央部に位置し、該フランジ部における水流入開口部は、前記中央円筒体を中心に等中心角度間隔で形成され、前記水浄化フィルターは円筒形状のフィルターである場合を挙げることができる。
【００１３】
底皿部材の空気噴射ノズルには、エアレーションを十分行ううえで、水中に多くの気泡を供給できるように、気泡発生部材を装着してもよい。気泡発生部材としては、例えばエアストーンと一般に称されている、多くの細かい連続通気路を有する気泡発生部材を採用できる。
【００１４】
【発明の実施の形態】
以下、本発明の実施の形態を図面を参照して説明する。
図１は本発明に係る水浄化フィルター装置の１例の、フィルター部分を断面で示す正面図である。
この水浄化フィルター装置Ａは、水浄化フィルター装置枠Ｂを含んでいる。水浄化フィルター装置枠Ｂは、底皿部材１と、底皿部材１に着脱可能の複数の同一形状、構成の水浄化フィルター装着用部材２とからなっている。
【００１５】
水浄化フィルター装着用部材２のうち最上段のものより下段の各部材２には、通水性の円筒形の水浄化フィルター３を嵌めてある。
水浄化フィルター装置枠Ｂ、水浄化フィルター装着用部材２も本発明に係るものである。
図２から図６は前記底皿部材１を示している。図２は、底皿部材１の正面図であり、図３は底皿部材１の右側面図である。底皿部材１の左側面図、及び背面図は、それぞれ正面図と同一に現れる。図４は底皿部材１の平面図であり、図５は底皿部材１の底面図である。また、図６は図４に示す底皿部材１のＸ−Ｘ線に沿った断面図である。
【００１６】
図２から図６に示す底皿部材１は円形深皿状に形成されており、上端部に円形開口１１を有し、開口１１周縁部に沿って水浄化フィルター装着用部材２の下端部を着脱できる円形の水浄化フィルター装着用部材接続部１２を有している。円形接続部１２の外周面には等中心角度間隔で、係合用突起１２１を複数突設してある。底皿部材１の内部空間Ｓには内底部中央から開口１１の中央部に開口１１へ立ち上がる空気噴射ノズル１３が立設され、さらに空気噴射ノズル１３の下端部１３１に連通する空気供給手段接続部１４が設けられている。接続部１４は底皿部材１の周側壁に開口１４１を有している。
【００１７】
図７から図１０は水浄化フィルター装着用部材２を示している。図７は水浄化フィルター装着用部材２の正面図であり、図８は同部材２の平面図であり、図９は同部材２の底面図である。
図１０は図８に示す水浄化フィルター装着用部材２のＹ−Ｙ線に沿う断面図である。なお、水浄化フィルター装着用部材２の左右側面図及び背面図は図７に示す正面図と同一に現れる。
【００１８】
各水浄化フィルター装着用部材２は、断面円形の筒体２１と筒体２１の下端部２１２に設けられた円形のフランジ部２２を有しており、筒体２１はフランジ部２２の中央に位置している。筒体２１の下端はフランジ部２２より若干下方へ突出している。
筒体２１は空気や水が流通できる上下方向に貫通した内部空間２１３を備え、上端部２１１から下端部２１２にかけて次第に外径及び内径とも太くなるように形成されている。これにより、筒体２１の下端部２１２は底皿部材１の空気噴射ノズル１３にその周囲に間隙をおいて外嵌できる。また他の同じ部材２の筒体上端部２１１に外嵌し、筒体内部が連通するように部材２を直列接続できるようになっている。
【００１９】
フランジ部２２は、筒体２１を中心に等中心角度で配置された、水が通過できる複数の水流入開口部２２１を備えているとともに、フランジ部周縁にフランジ部より上下に突出した短筒形状の部分２２２を有している。部分２２２はフランジ上側部分２２２ａとフランジ下側部分２２２ｂとから構成されている。
フランジ下側部分２２２ｂは底皿部材１の水浄化フィルター装着用部材接続部１２を接続できる円形の底皿部材接続部２２３として機能し、内周面には等中心角度間隔で係合用凹部２２３ａを有している。
【００２０】
水浄化フィルター装置Ａは次のようにして組み立てることができる。
水浄化フィルター装着用部材２を複数用い、図１に例示するように、少なくとも、最上段のフィルター装着用部材２より下段の各フィルター装着用部材２の筒体２１にフィルター３を嵌合装着する。このように筒体２１に嵌合装着されたフィルター３は、図１に示すように、フィルター側周面が外部に露出する。そしてこれら複数のフィルター装着用部材２を下から上へ積み重ね、上下に隣り合うフィルター装着用部材２のうち下側の部材２の筒体２１の上端部２１１に上側の部材２の筒体２１の下端部２１２を嵌着し、筒体２１同士を連通接続させる。
【００２１】
また、この時、上下のフランジ部２２と、上側の部材２の周縁部分２２２のフランジ下側部分２２２ｂと、下側の部材２の周縁部分２２２のフランジ上側部分２２２ａとで囲まれる空間内にフィルター３を保持して安定させる。該フィルター３は、図１に示すように、上下のフランジ部２２の間でフィルター側周面が外部に露出する。
さらに一番下の水浄化フィルター装着用部材２については、その筒体２１の下端部２１２を底皿部材１の空気噴射ノズル１３に、その周囲に間隙をおいて外嵌させ、該フィルター装着用部材２の底皿部材接続部２２３を底皿部材１のフィルター装着用部材接続部１２に外嵌させ、且つ、部材２側にある係合用凹部２２３ａを底皿部材１側の係合用突起１２１に嵌め合わせる。
【００２２】
かくしてフィルター装置Ａが組み立てられる。
勿論、フィルター装置Ａの最上段のフィルター装着用部材２にフィルター３を装着しておいても構わない。
フィルター装着用部材を一つだけ用いるときは、前記フィルター装置Ａにおいて、最下段より上の段のフィルター装着用部材２を省略すればよい。
【００２３】
水浄化フィルター装置Ａの動作について図１１を参照して説明する。
空気供給手段（例えば空気供給ポンプに接続された空気供給パイプ4 ）を装置Ａの底皿部材１の空気供給手段接続部１４の開口１４１に接続し、この装置Ａを浄化しようとする水中へ沈め、空気供給手段接続部１４に空気を供給する。
この空気が空気噴射ノズル１３を通り各水浄化フィルター装着用部材２の筒体２１の内部空間２１３を順次流通し、最上段の筒体２１から外部に放出される。
【００２４】
このとき水浄化フィルター装置Ａの外部より底皿部材１の空気噴射ノズル１３とこれに外嵌している一番下の水浄化フィルター装着用部材２の筒体２１との間隙から筒体２１内へ水を吸い込む力が発生し、これによりその間隙に水が流れ込む。
このとき流れ込む水は、図１１に矢印で示すように水浄化フィルター３を通過するので、それにより浄化される。また、水浄化とエアレーションが同時に効率的に行われる。
【００２５】
底皿部材１の空気噴射ノズル１３には、エアレーションを十分行ううえで、水中に多くの気泡を供給できるように、気泡発生部材５を装着してもよい。気泡発生部材としては、例えばエアストーンと一般に称されている、多くの細かい連続通気路を有する気泡発生部材を採用できる。
図１２は水浄化フィルター装置Ａを動植物鑑賞用水槽Ｃの中に沈めて用いる例を示している。但し、水浄化能力を向上させるために、フィルター装着用部材２については４段用い、フィルター３を３段にしている。
【００２６】
空気供給ポンプＰに接続された空気供給パイプ４を底皿部材１の空気供給手段接続部に接続して用いている。
以上説明した水浄化フィルター装置は、水中の一部に大きいスペースを占めることなく配置して簡単に使用することができる。そして底皿部材１と水浄化フィルター装着用部材２と水浄化フィルター３とから構成されるため、構造が簡素で小型に安価に製作できる。
【００２７】
底皿部材１と水浄化フィルター装着用部材２の材質及び製造方法については特に制限はないが、例えば合成樹脂の一体成形として製作すれば、簡素に安価に製作できる。
フィルター装着用部材２に外嵌するフィルター３の素材は任意であるが、ここでは連続気泡性の発泡ポリウレタンである。
【００２８】
また、水浄化フィルター装着用部材２の接続個数を任意に選択する事により、例えば動植物鑑賞用水槽の水の浄化その他の水の浄化において、浄化すべき水の量や汚れに対応した水浄化能力を提供できる。
【００２９】
【発明の効果】
以上説明したように本発明によると、動植物観賞用水槽の水の浄化その他の水の浄化に採用できる水浄化フィルター装置であって、水中に配置して使用でき、構造が簡素で小型に安価に製作でき、しかも、水浄化だけでなく水中へのエアレーションも同時に効果的に行える水浄化フィルター装置を提供するための、水浄化フィルター装置枠を提供することができる。
【００３０】
また本発明によると、かかる水浄化フィルター装置枠を提供するための、水浄化フィルター装着用部材を提供することができる。
そして本発明によると、動植物観賞用水槽の水の浄化その他の水の浄化に採用できる水浄化フィルター装置であって、水中に配置して使用でき（従って水槽に用いる場合、水槽上部を簡素化でき）、また構造が簡素で小型に安価に製作でき、しかも、水浄化だけでなく水中へのエアレーションも同時に効果的に行える水浄化フィルター装置を提供することができる。
【００３１】
また、本発明に係る水浄化フィルター装置は、水浄化フィルター装着用部材及び水浄化フィルターの個数を増減させて使用することができ、それにより浄化すべき水の量や汚れに容易に対応できる利点もある。
【図面の簡単な説明】
【図１】本発明に係る水浄化フィルター装置の１例の、フィルター部分を断面で示す正面図である。
【図２】水浄化フィルター装置を構成する底皿部材の正面図である。
【図３】図２に示す底皿部材の右側面図である。
【図４】図２に示す底皿部材の平面図である。
【図５】図２に示す底皿部材の底面図である。
【図６】図４に示す底皿部材のＸ−Ｘ線に沿う断面図である。
【図７】本発明に係る水浄化フィルター装着用部材の１例の正面図である。
【図８】図７に示す水浄化フィルター装着用部材の平面図である。
【図９】図７に示す水浄化フィルター装着用部材の底面図である。
【図１０】図８に示す水浄化フィルター装着用部材のＹ−Ｙ線に沿う断面図である。
【図１１】図１に示す水浄化フィルター装置の動作を示す図である。
【図１２】本発明に係る水浄化フィルター装置の使用例を示す斜視図である。
【符号の説明】
Ａ  水浄化フィルター装置
Ｂ  水浄化フィルター装置枠
１  底皿部材
１１  底皿部材の開口
１２  水浄化フィルター装着用部材接続部
１２１  水浄化フィルター装着用部材係合用突起
１３  空気噴射ノズル
１３１  空気噴射ノズル下端部
１４  空気供給手段接続部
１４１  空気供給手段接続部の開口
Ｓ  底皿部材の内部空間
２  水浄化フィルター装着用部材
２１  筒体
２１１  水浄化フィルター装着用部材上端部
２１２  水浄化フィルター装着用部材下端部
２１３  筒体の内部空間
２２  フランジ部
２２１  水流入開口部
２２２  フランジ部周縁の短円筒体部分
２２２ａ  フランジ上側部分
２２２ｂ  フランジ下側部分
２２３  底皿部材接続部
２２３ａ  底皿部材係合用凹部
３  水浄化フィルター
４  空気供給ポンプに接続された空気供給パイプ
５  気泡発生部材
Ｃ  水槽
Ｐ  空気供給ポンプ
【図１】
0003816244.tif 000002
【図２】
0003816244.tif 000003
【図３】
0003816244.tif 000004
【図４】
0003816244.tif 000005
【図５】
0003816244.tif 000006
【図６】
0003816244.tif 000007
【図７】
0003816244.tif 000008
【図８】
0003816244.tif 000009
【図９】
0003816244.tif 000010
【図１０】
0003816244.tif 000011
【図１１】
0003816244.tif 000012
【図１２】
0003816244.tif 000013